(57)【要約】【課題】捕虫器において、電撃に伴って生じる電撃音を消音し、虫を静かに殺虫又は弱らすことができるようにする。【解決手段】捕虫器１は、虫２０を誘引する光を出射する光源２と、光源２に誘引された虫２０に電撃を与える電極部３と、光源２及び電極部３を収容する筐体４と、電極部３による電撃に伴って生じる電撃音を消音する消音部５とを備える。消音部５は、電極部３周辺部に位置する筐体４の内壁に設けられた吸音材５１と、仕切板４３の下端側に設けられた吸音材５２とで構成される。虫２０が電極部３の陽極３１と陰極３２の隙間を通過するとき、両極間において絶縁破壊が起こって放電が生じ、虫２０を通して電流が流れる。このときの電撃に伴って生じた電撃音は、虫経路４４内に伝播され、その際、虫経路４４上にある吸音材５１、５２に吸音される。【選択図】図２
2010029093.tif 000002
【特許請求の範囲】
【請求項１】
虫を誘引する誘虫部と、前記誘虫部に誘引された虫に電撃を与える電極部と、前記誘虫部及び電極部を収容する筐体とを備えた捕虫器において、
前記電極部による電撃に伴って生じる電撃音を消音する消音部を備え、
前記消音部は、前記筐体の内部に設けられた吸音材で構成されることを特徴とする捕虫器。
【請求項２】
前記誘虫部は、紫外線を含有する光を出射する光源であり、
前記吸音材は、光透過性を有しており、
前記筐体は、前記光源からの光を外方に出力させる窓を有していること特徴とする請求項１に記載の捕虫器。
【請求項３】
前記吸音材は、前記筐体の虫侵入口から前記誘虫部へと連通された虫経路内に配置されていることを特徴とする請求項１又は請求項２に記載の捕虫器。
【発明の詳細な説明】
【技術分野】
【０００１】
本発明は、ハエや蚊等の飛翔性を持った害虫に電撃を与える電極部を備えた捕虫器に関する。
【背景技術】
【０００２】
従来から、この種の捕虫器として、棒状の陽極と陰極が互い違いに配置された格子状の電極部を有し、両極間に高電圧が印加されることにより、陽極と陰極との隙間を通過する虫に放電による電撃を与えるものが知られている（例えば、特許文献１参照）。
【特許文献１】特開２００１−２５２０００号公報
【発明の開示】
【発明が解決しようとする課題】
【０００３】
しかしながら、上述のような電極部を備えた捕虫器においては、虫に電撃を与える際に耳障りな電撃音が発生する。特に、電極部が筐体の内部に収容されて複数の外壁に囲まれている場合には、発生した電撃音の音圧が共振現象により増大される虞がある。
【０００４】
本発明は、上記問題を解決するためになされたものであり、電撃に伴って生じる電撃音を消音し、虫を静かに殺虫又は弱らすことができる捕虫器を提供することを目的とする。
【課題を解決するための手段】
【０００５】
上記目的を達成するために請求項１の発明は、虫を誘引する誘虫部と、前記誘虫部に誘引された虫に電撃を与える電極部と、前記誘虫部及び電極部を収容する筐体とを備えた捕虫器において、前記電極部による電撃に伴って生じる電撃音を消音する消音部を備え、前記消音部は、前記筐体の内部に設けられた吸音材で構成されるものである。
【０００６】
請求項２の発明は、請求項１に記載の発明において、前記誘虫部は、紫外線を含有する光を出射する光源であり、前記吸音材は、光透過性を有しており、前記筐体は、前記光源からの光を外方に出力させる窓を有しているものである。
【０００７】
請求項３の発明は、請求項１又は請求項２に記載の発明において、前記吸音材は、前記筐体の虫侵入口から前記誘虫部へと連通された虫経路内に配置されているものである。
【発明の効果】
【０００８】
請求項１の発明によれば、電撃に伴って生じる電撃音が吸音材に吸収されるので、筐体の内部において電撃音の共振現象が引き起こされることがなく、誘虫部に誘引された虫を静かに殺虫又は弱らして捕獲できる。
【０００９】
請求項２の発明によれば、光源からの光は、吸音材に遮断されることなく筐体外方に出力されるので、多くの虫は上記光に含まれる紫外線に誘引される特性を有していることから、多種多様の虫を捕獲できる。また、誘虫部を炭酸ガス等の匂い源とした場合と比較して、経時的な劣化が少ないので、メンテナンスフリーで高い捕虫効率を長期間維持できる。
【００１０】
請求項３の発明によれば、虫経路内に伝播される電撃音は、吸音材に吸収されるので、該音が虫侵入口を通って筐体外方に漏れることがなくなり、虫を一層静かに捕獲できる。
【発明を実施するための最良の形態】
【００１１】
（第１の実施形態）
本発明の第１の実施形態に係る捕虫器について図１及び図２を参照して説明する。図１、図２は本実施形態に係る捕虫器１の構成を示す。捕虫器１は、ハエや蚊等の飛翔性を持つ害虫に電撃を与えて、虫を殺虫又は弱らせてから捕獲回収するものであって、虫の多い屋外空間や屋外空間に面する建物内の空間等に設置される。捕虫器１は、虫２０を誘引する誘虫部である捕虫用の光源２と、光源２に誘引された虫２０に電撃を与える電極部３と、光源２及び電極部３を収容する筐体４と、電極部３による電撃に伴って生じる電撃音を消音する消音部５と、電撃を受けた虫２０を回収する虫受皿６とを備える。また、捕虫器１は、光源２を点灯させるための安定器７と、電極部３に高電圧を印加するための変圧器８と、安定器７及び変圧器８と接続される端子台９とを備える。ここで、筐体４は、光源２から出射された光を外方に出力させるガラス部材で成る窓４１と、この光に誘引される虫２０が筐体４の内部に侵入するための虫侵入口４２とを有している。また、虫受皿６は、筐体４の下方に設けられている。
【００１２】
光源２は、紫外線を含有する光を出射する直管型のランプであり、筐体４の内部に縦向きにして設けられ、筐体４の内壁に設けられた一対のソケット１０に取り付けられる。光源２の出射光に含まれる紫外線は、虫の走光曲線又は視感度曲線に基づいて設定されており、高い誘虫効果を有している。光源２の種類としては、例えば、蛍光ランプや冷陰極ランプ、水銀ランプ、キセノンランプ等が挙げられる。
【００１３】
電極部３は、筐体４の内部において光源２の下方に設けられており、導電性を有した金属棒が複数配列されて平行格子状とされたものであり、変圧器８のプラス端子と接続される陽極３１と、変圧器８のマイナス端子と接続される陰極３２とで構成される。陽極３１と陰極３２は、異極と隣り合うように交互に配されている。陽極３１及び陰極３２を構成する上記金属棒の材質としては、耐久性のよいステンレスが望ましい。変圧器８により両極間に印加される電圧は、格子間隔に応じて設定され、４０００Ｖ以上１００００Ｖ未満が望ましい。
【００１４】
筐体４は、縦長の箱形形状とされ、例えば、板金や樹脂等を用いて形成される。上述した窓４１は、筐体４前面の略中央部に設けられ、光源２の出射光を無駄なく出力できるような大きさを有している。また、虫侵入口４２は、筐体４前面の上側部分に設けられている。筐体４は、光源２の前方に配された仕切板４３とを有しており、これにより、筐体４の内部には、侵入した虫２０を電極部３に誘導可能な、虫侵入口４２から光源２へと連通された虫経路４４が区画形成されている。仕切板４３の中央部は、光源２の出射光を外方に遮断しないように、ガラス部材４５が配設された構成となっている。虫経路４４上には、人が電極部３に接触するのを防止するための防護格子１１が設けられている。また、筐体４は、虫経路４４内にいる虫２０を電極部３に送り込むように送風するファン１２を収容している。筐体４の下端側には、虫受皿６を係止するためのラッチ１３が設けられている。
【００１５】
消音部５は、虫経路４４上に設けられた吸音効果のある素材や構造体であって、具体的には、電極部３周辺部に位置する筐体４の内壁に設けられた吸音材５１と、仕切板４３の下端側に設けられた吸音材５２とで構成される。吸音材５１、５２としては、グラスウール、ロックウール、ポリウレタンスポンジ等の多孔質材料や、木質ボード、金属板等の板状材料、ビニールレザー、ポリエチレンシート等の膜状材料等が挙げられる。また、吸音材５１、５２は、貫通孔を空けた孔開き板と、孔開き板の背後に空気層が形成されるように隔壁する複数の板材とで構成される孔開き板構造体であってもよい。孔開き板構造体に用いられる板材としては、例えば、合板、石膏ボード、金属板、プラスチック板が挙げられる。
【００１６】
上記のように構成された捕虫器１の作用について説明する。本器１の電源が投入されると、光源２が点灯し、併せて、電極部３の両極間に高電圧が印加され、さらにファン１２が動作する。光源２の出射光は、窓４１から本器１周辺に出力され、虫２０はこの光に誘引されて、虫侵入口４２を通って筐体４の内部に侵入する。筐体４の内部に侵入した虫２０は、ファン１２の気流に流されて電極部３に運び込まれる。虫２０が陽極３１と陰極３２の隙間を通過するとき、両極間において絶縁破壊が起こって放電が生じ、虫２０を通して電流が流れる。このときの電撃に伴って生じた電撃音は、虫経路４４内に伝播され、その際、虫経路４４上にある吸音材５１、５２に吸音される。電撃を受けた虫２０は、主として感電した際の発熱によって熱死又は焼死し、下方に落下して虫受皿６に捕獲回収される。
【００１７】
以上、本実施形態に係る捕虫器１によれば、電撃に伴って生じる電撃音が吸音材５１、５２に吸収されて、筐体４の内部において電撃音の共振現象が引き起こされることがないので、光源２に誘引された虫２０を静かに殺虫又は弱らして捕獲できる。また、誘虫部を炭酸ガス等の匂い源とした場合と比較して、光源２は経時的な劣化が少ないので、多種多様の虫をメンテナンスフリーで捕獲できる。
【００１８】
（第２の実施形態）
本発明の第２の実施形態に係る捕虫器について図３乃至図５を参照して説明する。図３、図４は本実施形態に係る捕虫器１の構成を示す。本実施形態は、窓４１が光透過性を有した吸音材５３で成る点で第１の実施形態と相違する。吸音材５３は、孔開き板構造体であるブロック５３ａが複数積み上げられた構成となっている。
【００１９】
図５は、吸音材５３の構成を示す。各ブロック５３ａは、孔開き板に対向する背板が本器１の前側に向くように配されている。ブロック５３ａの材質としては、例えば、透明アクリルが挙げられる。孔開き板の貫通孔５３ｂの大きさは、ブロック５３ａの仕様に応じて設定され、例えば、開口率（貫通孔の面積／孔開き板の全面積）が０．３、孔開き板と背板との間隔が１０ｍｍ、孔開き板の板厚が０．８ｍｍの場合には、１ｍｍ〜２５ｍｍ程度が望ましい。上記のように構成された吸音材５３に、その共鳴周波数と同じ周波数の音が当たると、貫通孔付近の空気が激しく振動し、粘性損失によって音のエネルギーの一部が熱エネルギーに変換され、吸音作用を生じる。また、孔開き板と背板との間には、多孔質材料を挿入されていてもよく、この場合、粘性損失が大きくなり、吸音率が上昇する。
【００２０】
以上、本実施形態に係る捕虫器１によれば、虫経路４４内に伝播される電撃音は、吸音材５１、５２、５３に吸収されるので、該音が虫侵入口４２を通って筐体４外方に漏れることがなくなり、虫２０を一層静かに捕獲できる。このとき、光源２の出射光は、吸音材５３に遮断されることなく、筐体４外方に照射されるので、高い誘虫効率を維持できる。
【００２１】
（第３の実施形態）
本発明の第３の実施形態に係る捕虫器について図６を参照して説明する。図６は本実施形態に係る捕虫器１の構成を示す。本実施形態においては、筐体４の一端側全体が虫侵入口４２となっており、この虫侵入口４２から筐体４の内部に向かって、吸音材５４、電極部３、光源２が順に設けられている。吸音材５４は、光透過性を有した多孔質材料で成り、虫侵入口４２近傍に、上下に所定間隔離間して複数配されている。これにより、光源２の出射光は、虫侵入口４２から出力される。虫受皿６は、筐体４の内部に設けられており、虫侵入口４２とは反対側の筐体４端部には、この虫受皿６を取り出すことができるように開閉扉４６が設けられている。
【００２２】
上記のように構成された捕虫器１において、光源２が点灯すると、その出射光は虫侵入口４２から出力される。光源２の出射光により誘引された虫２０は、各吸音材５４の隙間をくぐり抜け、電極部３に導かれる。虫２０が陽極３１と陰極３２の隙間を通過するとき、電極部３に侵入して電撃を受け、これにより感電した虫２０は、虫受皿６に捕獲回収される。以上、本実施形態についても、上述と同様の効果を得ることが可能となる。
【００２３】
なお、本発明は、上記各種実施形態の構成に限られず、発明の趣旨を変更しない範囲で種々の変形が可能である。例えば、上述の実施形態では、捕虫用の光源２を用いて虫２０を誘引する例を示したが、これに限られず、虫２０の好む匂いを発する匂い源を用いて、虫２０を誘引するようにしてもよい。また、筐体４の内部に侵入した虫２０が電極部３に誘導される虫経路４４が確保されていれば、虫侵入口４２は複数設けられていてもよい。
【図面の簡単な説明】
【００２４】
【図１】本発明の第１の実施形態に係る捕虫器の斜視図。
【図２】（ａ）は図１のＡ−Ａ線断面図、（ｂ）は図１のＢ−Ｂ線断面図。
【図３】本発明の第２の実施形態に係る捕虫器の斜視図。
【図４】（ａ）は図３のＣ−Ｃ線断面図、（ｂ）は図３のＤ−Ｄ線断面図。
【図５】上記捕虫器における窓に設けられた吸音材の斜視図。
【図６】本発明の第３の実施形態に係る捕虫器の斜視図。
【符号の説明】
【００２５】
１  捕虫器
２  光源（誘虫部）
３  電極部
４  筐体
５  消音部
２０  虫
４１  窓
４２  虫侵入口
４４  虫経路
５１、５２、５３、５４  吸音材
【図１】
2010029093.tif 000003
【図２】
2010029093.tif 000004
【図３】
2010029093.tif 000005
【図４】
2010029093.tif 000006
【図５】
2010029093.tif 000007
【図６】
2010029093.tif 000008